(57)【要約】      （修正有）【課題】予備電源を備えなくても、制御ＩＣが保護モードにて出力以外に自動復元の動作を行って、一定時間後自動に正常動作する。【解決手段】システムまたは制御ＩＣの異常状態を検出する異常状態検出部１１０と、異常状態の検出に応じて、保護モードに変更し、該保護モードにて自動回復信号を入力されて動作モードに変更するプロテクション部１２０と、入力電源からの電力の供給後、ＩＣ電源が予め決められた高電圧に到達すると、電力供給遮断信号に応じて入力電源からの電力の供給を遮断し、入力電源からの電力の供給及び遮断を繰り返すＩＣ電源部１３０と、保護モードの開始に応じて、ＩＣ電源部１３０の電力供給信号及び電力供給遮断信号が交互に繰り返されるクロックをカウントし、該カウント数が予め決められた値に到達すると、プロテクション部１２０に自動回復信号を供給する自動再開部１４０とを含む。【選択図】図１
2013106350.tif 000002
【特許請求の範囲】
【請求項１】
システムまたは制御ＩＣの異常状態を検出する異常状態検出部と、
前記異常状態の検出に応じて、保護モードに変更し、該保護モードにて自動回復信号を入力されて動作モードに変更するプロテクション部と、
正常状態で前記システムの２次側捕助巻線から電力を供給され、前記捕助巻線からの電力の供給が中断された前記保護モードにて、ＩＣ電源が予め決められた低電圧まで落ちると、電力供給信号に応じて前記システムの入力電源から電力を供給され、前記入力電源からの電力の供給後、前記ＩＣ電源が予め決められた高電圧に到達すると、電力供給遮断信号に応じて前記入力電源からの電力の供給を遮断し、前記入力電源からの電力の供給及び遮断を繰り返すＩＣ電源部と、
前記保護モードの開始に応じて、前記ＩＣ電源部の前記電力供給信号及び前記電力供給遮断信号が交互に繰り返されるクロックをカウントし、該カウント数が予め決められた値に到達すると、前記プロテクション部に自動回復信号を供給する自動再開部と
を含む自動回復回路付き制御ＩＣ。
【請求項２】
前記異常状態検出部は、過電圧、過電流、過負荷、サーマルシャットダウン及びブラウンアウトのうちの少なくともいずれか一つを検出する請求項１に記載の自動回復回路付き制御ＩＣ。
【請求項３】
前記プロテクション部は、前記異常状態検出部の出力と前記自動回復信号とを入力にするラッチ回路を含む請求項１に記載の自動回復回路付き制御ＩＣ。
【請求項４】
前記ＩＣ電源部は、初期に前記システムの入力電源から電力を供給されている途中、予め決められた高電圧に到達すると、前記入力電源からの電力の供給を遮断し、前記システムの２次側捕助巻線から電力を供給される請求項１に記載の自動回復回路付き制御ＩＣ。
【請求項５】
前記ＩＣ電源部は、前記保護モードから前記動作モードに変更された場合、前記ＩＣ電源が前記予め決められた高電圧に到達すると、前記入力電源からの電力の供給を遮断し、前記システムの２次側捕助巻線からの電力の供給を再開する請求項１に記載の自動回復回路付き制御ＩＣ。
【請求項６】
前記自動再開部は、
前記電力供給信号と前記電力供給遮断信号とのクロックをカウントするカウンタと、
前記カウンタの出力信号と前記クロックの信号とに対して論理積演算を行う論理積ゲートと
を含む請求項１に記載の自動回復回路付き制御ＩＣ。
【請求項７】
前記制御ＩＣは、パワコンバータのパワトランジスタスイッチを駆動するＰＷＭ制御チップである請求項１〜６のうちのいずれか一つに記載の自動回復回路付き制御ＩＣ。
【請求項８】
前記制御ＩＣは、
前記システムの２次側出力のフィードバックを受けてＰＷＭ制御信号を生成するＰＷＭ生成部と、
前記ＰＷＭ生成部で生成された制御信号によって前記パワトランジスタスイッチを駆動する駆動部と
を含む請求項７に記載の自動回復回路付き制御ＩＣ。
【請求項９】
前記ＰＷＭ生成部は、
前記システムの２次側出力のフィードバックを受けたフィードバック信号、予め決められた状態によって決まった内部電圧信号及び前記システムのインダクタ電流の検出信号を用いて、ＰＷＭ制御信号のデューティを決めるＰＷＭ比較器と、
前記ＰＷＭ比較器の出力と前記プロテクション部の出力とを入力され、前記ＰＷＭ制御信号を出力する排他的論理和ゲートと
を含む請求項８に記載の自動回復回路付き制御ＩＣ。
【請求項１０】
システムまたは制御ＩＣの異常状態の発生による保護モードから動作モードに自動に回復する自動回復回路において、
前記異常状態を検出する異常状態検出部と、
前記異常状態の検出に応じて、保護モードに変更し、該保護モードにて自動回復信号を入力されて動作モードに変更するプロテクション部と、
前記システムの２次側捕助巻線からＩＣ電源への電力の供給が中断された前記保護モードにて、前記ＩＣ電源が予め決められた低電圧まで落ちると、前記システムの入力電源から電力を供給されるような電力供給信号と、前記入力電源からの電力の供給後前記ＩＣ電源が予め決められた高電圧に到達すると、前記入力電源からの電力の供給を遮断するような電力供給遮断信号とが交互に繰り返されるクロックをカウントし、該カウント数が予め決められた値に到達すると、前記プロテクション部に自動回復信号を供給する自動再開部と
を含む制御ＩＣの自動回復回路。
【請求項１１】
前記異常状態検出部は、過電圧、過電流、過負荷、サーマルシャットダウン及びブラウンアウトのうちの少なくともいずれか一つを検出する請求項１０に記載の制御ＩＣの自動回復回路。
【請求項１２】
前記プロテクション部は、前記異常状態検出部の出力と前記自動回復信号とを入力にするラッチ回路を含む請求項１０に記載の制御ＩＣの自動回復回路。
【請求項１３】
前記自動再開部は、
前記電力供給信号と前記電力供給遮断信号のクロックをカウントするカウンタと、
前記カウンタの出力信号と前記クロック信号とに対して論理積演算を行う論理積ゲートと
を含む請求項１０に記載の制御ＩＣの自動回復回路。
【請求項１４】
オン／オフ駆動してシステムの入力電源を伝達するパワトランジスタスイッチと、
前記パワトランジスタスイッチの駆動によって、前記入力電源を１次側電源として入力され、変換させて、２次側を通じて直流電源として出力するトランスと、
前記パワトランジスタスイッチの駆動をＰＷＭ制御する請求項１〜６のうちのいずれか一つによる制御ＩＣと、
前記トランスの２次側出力をフィードバックして前記制御ＩＣに供給するフィードバック回路と
を含むパワ変換システム。
【請求項１５】
前記制御ＩＣは、
前記フィードバック回路から前記２次側出力のフィードバックを受けてＰＷＭ制御信号を生成するＰＷＭ生成部と、
前記ＰＷＭ生成部で生成された制御信号によって、前記パワトランジスタスイッチを駆動する駆動部と
を含む請求項１４に記載のパワ変換システム。
【請求項１６】
システムまたは制御ＩＣの異常状態の検出に応じて保護モードに変更され、前記システムの２次側捕助巻線からＩＣ電源への電力の供給を中断するステップと、
前記保護モードの開始に応じて、前記ＩＣ電源が予め決められた低電圧まで落ちると、電力供給信号に応じて前記システムの入力電源から電力を供給され、前記入力電源からの電力の供給後前記ＩＣ電源が予め決められた高電圧に到達すると、電力供給遮断信号に応じて前記入力電源からの電力の供給を遮断し、前記入力電源からの電力の供給及び遮断を繰り返すステップと、
前記電力供給信号及び前記電力供給遮断信号が交互に繰り返されるクロックをカウントし、該カウント数が予め決められた値に到達すると、自動回復信号を生成するステップと、
前記自動回復信号に応じて、前記保護モードから動作モードに変更するステップと
を含む制御ＩＣの自動回復方法。
【請求項１７】
前記異常状態の検出は、過電圧、過電流、過負荷、サーマルシャットダウン及びブラウンアウトのうちの少なくともいずれか一つを検出する請求項１６に記載の制御ＩＣの自動回復方法。
【請求項１８】
前記保護モードの開始前に、初期に前記システムの入力電源から電力を供給されている途中、予め決められた高電圧に到達すると、前記入力電源からの電力の供給を遮断し、前記システムの２次側捕助巻線から電力を供給されるステップを、さらに含む請求項１６に記載の制御ＩＣの自動回復方法。
【請求項１９】
前記動作モードに変更されるステップでは、前記ＩＣ電源が前記予め決められた高電圧に到達すると、前記入力電源からの電力の供給を遮断し、前記システムの２次側捕助巻線からの電力の供給を再開する請求項１６に記載の制御ＩＣの自動回復方法。
【請求項２０】
前記制御ＩＣは、パワコンパータのパワトランジスタスイッチを駆動するＰＷＭ制御チップである請求項１６〜１９のうちのいずれか一つに記載の制御ＩＣの自動回復方法。
【発明の詳細な説明】
【技術分野】
【０００１】
本発明は、自動回復回路付き制御ＩＣ、制御ＩＣの自動回復回路、パワ変換システム及び制御ＩＣの自動回復方法に関し、特に、予備電源を備えなくても自動に回復することができる、自動回復回路付き制御ＩＣ、制御ＩＣの自動回復回路、パワ変換システム及び制御ＩＣの自動回復方法に関する。
【背景技術】
【０００２】
ＳＭＰＳなどに適用される制御ＩＣ、例えばＰＷＭ制御ＩＣでは、過電圧、過電流、入力低電圧、過負荷、高温などの異常状態を感知するとき、システム及びＩＣを保護するために保護モード（Ｐｒｏｔｅｃｔｉｏｎ  Ｍｏｄｅ）にて動作する機能がある。また、一時的な異常状態やノイズなどによって、保護モードに進入する場合、ＩＣは一定な時間後に再度正常の動作を行うことによって、システムが正常に動作するようにする。
【０００３】
従来には、ＰＷＭ制御ＩＣの動作のための予備電源が備えられている。この予備電源によって、過電圧、過電流などの異常状態が発生する時、保護モードの機能が動作し、該異常状態が終わると直ぐにＰＷＭ制御ＩＣが自動復元するようになる。詳しくは、異常状態が発生すると、保護モード信号でスイッチをオフさせ、予備電源のＰＷＭ制御ＩＣへの供給を遮断して、前記制御ＩＣが動作しなくなる。そして、保護モード信号を一定時間間持続して遅延させた後にスイッチにオンさせることによって、予備電源が再度ＰＷＭ制御ＩＣに供給されるようにしている。この予備電源の再供給によって、前記制御ＩＣが再度正常に動作するようになる。
【先行技術文献】
【特許文献】
【０００４】
【特許文献１】韓国公開特許第１０−２０１０−００１５１３２号公報
【発明の概要】
【発明が解決しようとする課題】
【０００５】
つまり、従来方式の場合は予備電源が必ず必要になって、費用が増加し、また予備電源がなく、ＰＷＭ制御ＩＣのみでは自動復元が不可能になるという不都合がある。
本発明は上記の問題点に鑑みて成されたものであって、予備電源を備えなくても、制御ＩＣが保護モードにて出力以外に自動復元の動作を行って、一定時間後自動に正常動作することができる、自動回復回路付き制御ＩＣ、制御ＩＣの自動回復回路、パワ変換システム及び制御ＩＣの自動回復方法を提供することに、その目的がある。
【課題を解決するための手段】
【０００６】
上記目的を解決するために、本発明の第１の形態によれば、システムまたは制御ＩＣの異常状態を検出する異常状態検出部と、該異常状態の検出に応じて保護モードに変更し、該保護モードにて自動回復信号を入力されて動作モードに変更するプロテクション部と、正常状態でシステムの２次側捕助巻線から電力を供給され、該捕助巻線からの電力の供給が中断された保護モードにて、ＩＣ電源が予め決められた低電圧まで落ちると、電力供給信号によってシステムの入力電源から電力を供給され、その後該ＩＣ電源が予め決められた高電圧に到達すると、電力供給遮断信号によってシステムの入力電源からの電力の供給を遮断し、システムの入力電源からの電力の供給及び電力遮断を繰り返すＩＣ電源部と、保護モードの開始に応じて前記ＩＣ電源部の電力供給信号及び電力供給遮断信号が交互に繰り返されるクロックをカウントし、該カウント数が予め決められた値に到達すると、前記プロテクション部に自動回復信号を供給する自動再開部とを含む自動回復回路付き制御ＩＣが提供される。
【０００７】
一形態によれば、前記異常状態検出部は、過電圧、過電流、過負荷、サーマルシャットダウン（Ｔｈｅｒｍａｌ  Ｓｈｕｔｄｏｗｎ）及びブラウンアウト（Ｂｒｏｗｎ  Ｏｕｔ）のうちの少なくともいずれか一つを検出する。
【０００８】
また、一形態によれば、前記プロテクション部は、前記異常状態検出部の出力と前記自動回復信号とを入力にするラッチ回路を含む。
【０００９】
また、一形態によれば、前記ＩＣ電源部は、初期にシステムの入力電源から電力を供給されている途中、予め決められた高電圧に到達すると、システムの入力電源からの電力の供給を遮断し、システムの２次側捕助巻線から電力を供給される。
【００１０】
また、一形態によれば、前記ＩＣ電源部は、保護モードから動作モードに変更された場合、前記ＩＣ電源が予め決められた高電圧に到達すると、前記入力電源からの電力の供給を遮断し、システムの２次側捕助巻線からの電力の供給を再開する。
【００１１】
また、一形態によれば、前記自動再開部は、電力供給信号及び電力供給遮断信号のクロックをカウントするカウンタと、該カウンタの出力信号とクロックの信号とに対して論理積演算を行う論理積ゲートとを含む。
【００１２】
また、一形態によれば、前記制御ＩＣは、パワコンパータのパワトランジスタスイッチを駆動するＰＷＭ制御チップである。
【００１３】
一形態によれば、前記制御ＩＣは、システムの２次側出力のフィードバックを受けてＰＷＭ制御信号を生成するＰＷＭ生成部と、該ＰＷＭ生成部で生成された制御信号によって前記パワトランジスタスイッチを駆動する駆動部とを含む。
【００１４】
一形態によれば、前記ＰＷＭ生成部は、システムの２次側出力のフィードバックを受けたフィードバック信号、予め決められた状態によって決まった内部電圧信号及びシステムのインダクタ電流の検出信号を用いて、ＰＷＭ制御信号のデューティを決めるＰＷＭ比較器と、前記ＰＷＭ比較器の出力と前記プロテクション部の出力とを入力されてＰＷＭ制御信号を出力する排他的論理和ゲートとを含む。
【００１５】
また、上記目的を解決するために、本発明の第２の形態によれば、システムまたは制御ＩＣの異常状態の発生による保護モードから動作モードに自動に回復する自動回復回路において、異常状態を検出する異常状態検出部と、該異常状態の検出に応じて保護モードに変更し、該保護モードにて自動回復信号を入力されて動作モードに変更するプロテクション部と、システムの２次側捕助巻線からＩＣ電源への電力供給が中断された保護モードにて、ＩＣ電源が予め決められた低電圧まで落ちると、システムの入力電源から電力を供給されるようにする電力供給信号と、入力電源からの電力の供給後に該ＩＣ電源が予め決められた高電圧に到達すると、前記入力電源からの電力の供給を遮断するような電力供給遮断信号が交互に繰り返されるクロックをカウントし、該カウント数が予め決められた値に到達すると、前記プロテクション部に自動回復信号を供給する自動再開部とを含む制御ＩＣの自動回復回路が提供される。
【００１６】
一形態によれば、前記異常状態検出部は、過電圧、過電流、過負荷、サーマルシャットダウン及びブラウンアウトのうちの少なくともいずれか一つを検出する。
【００１７】
また、一形態によれば、前記プロテクション部は、前記異常状態検出部の出力と前記自動回復信号とを入力にするラッチ回路を含む。
【００１８】
また、一形態によれば、前記自動再開部は、電力供給信号と電力供給遮断信号とのクロックをカウントするカウンタと、該カウンタの出力信号とクロックの信号とに対して論理積演算を行う論理積ゲートとを含む。
【００１９】
また、上記目的を解決するために、本発明の第３の形態によれば、オン／オフ駆動してシステムの入力電源を伝達するパワトランジスタスイッチと、該パワトランジスタスイッチの駆動によってシステムの入力電源を１次側電源として入力されて変換し、２次側を通じて直流電源として出力するトランスと、前記パワトランジスタスイッチの駆動をＰＷＭ制御する前記第１の形態のうちのいずれか一つによる制御ＩＣと、前記トランスの２次側出力をフィードバックして前記制御ＩＣに供給するフィードバック回路とを含むパワ変換システムが提供される。
【００２０】
一形態によれば、前記制御ＩＣは、前記フィードバック回路から２次側出力のフィードバックを受けてＰＷＭ制御信号を生成するＰＷＭ生成部と、このＰＷＭ生成部で生成された制御信号によって前記パワトランジスタスイッチを駆動する駆動部とを含む。
【００２１】
また、上記目的を解決するために、本発明の第４の形態によれば、システムまたは制御ＩＣの異常状態の検出に応じて保護モードに変更され、システムの２次側捕助巻線からＩＣ電源への電力の供給を中断するステップと、保護モードの開始によって、ＩＣ電源が予め決められた低電圧まで落ちると、電力供給信号によってシステムの入力電源から電力を供給され、該入力電源からの電力の供給後に該ＩＣ電源が予め決められた高電圧に到達すると、電力供給遮断信号によって入力電源からの電力の供給を遮断し、該入力電源からの電力の供給及び供給電力遮断を繰り返すステップと、電力供給信号及び電力供給遮断信号が交互に繰り返されるクロックをカウントし、該カウント数が予め決められた値に到達すると、自動回復信号を生成するステップと、該自動回復信号に応じて保護モードから動作モードに変更するステップとを含む制御ＩＣの自動回復方法が提供される。
【００２２】
一形態によれば、前記異常状態の検出は、過電圧、過電流、過負荷、サーマルシャットダウン及びブラウンアウトのうちの少なくともいずれか一つを検出して行われる。
【００２３】
また、一形態によれば、保護モードの開始前に、初期にシステムの入力電源から電力を供給されている途中、予め決められた高電圧に到達すると、前記入力電源からの電力の供給を遮断し、システムの２次側捕助巻線から電力を供給されるステップを、さらに含む。
【００２４】
また、一形態によれば、前記動作モードに変更するステップでは、前記ＩＣ電源が予め決められた高電圧に到達すると、前記入力電源からの電力の供給を遮断し、システムの２次側捕助巻線からの電力の供給を再開する。
【００２５】
また、一形態によれば、前記制御ＩＣは、パワコンパータのパワトランジスタスイッチを駆動するＰＷＭ制御チップである。
【発明の効果】
【００２６】
本発明によれば、予備電源を備えなくても、制御ＩＣが保護モードにて出力動作を除いた自動復元動作を行うことによって、一定時間後に自動に正常動作することができるという効果が奏する。
【００２７】
それによって、ノイズによる保護モードでの誤動作を自動に復元することができるという効果が奏する。
【００２８】
また、予備電源がなくても、自動復元動作が可能になる。
【００２９】
本発明の多様な形態によって直接的に言及されなかった多様な効果は、本発明の形態による多様な構成から該当技術分野において通常の知識を持った者によって導出可能なことは自明である。
【図面の簡単な説明】
【００３０】
【図１】本発明の一実施形態による自動回復回路付き制御ＩＣを概略的に示すブロック図である。
【図２】本発明の他の実施形態による自動回復回路付き制御ＩＣを概略的に示すブロック図である。
【図３】本発明のさらに他の実施形態による自動回復回路付き制御ＩＣを概略的に示す回路図である。
【図４】本発明の他の実施形態による制御ＩＣの自動回復回路を概略的に示す回路図である。
【図５】本発明の一実施形態による制御ＩＣの自動回復動作を概略的に示すグラフである。
【図６】本発明の一実施形態による自動回復回路付き制御ＩＣの電源の正常動作状態を概略的に示すグラフである。
【図７】本発明のさらに他の実施形態によるパワ変換システムを概略的に示すブロック図である。
【図８ａ】本発明の他の一実施形態による制御ＩＣの自動回復方法を概略的に示す流れ図である。
【図８ｂ】本発明の他の一実施形態による制御ＩＣの自動回復方法を概略的に示す流れ図である。
【図９】本発明のさらに他の実施形態による制御ＩＣの自動回復方法を概略的に示す流れ図である。
【発明を実施するための形態】
【００３１】
以下、本発明の好適な実施の形態は図面を参考にして詳細に説明する。次に示される各実施の形態は当業者にとって本発明の思想が十分に伝達されることができるようにするために例として挙げられるものである。従って、本発明は以下示している各実施の形態に限定されることなく他の形態で具体化されることができる。そして、図面において、装置の大きさ及び厚さなどは便宜上誇張して表現されることができる。明細書全体に渡って同一の参照符号は同一の構成要素を示している。
【００３２】
本明細書で使われた用語は、実施形態を説明するためのものであって、本発明を制限しようとするものではない。本明細書において、単数形は文句で特別に言及しない限り複数形も含む。明細書で使われる「含む」とは、言及された構成要素、ステップ、動作及び／又は素子は、一つ以上の他の構成要素、ステップ、動作及び／又は素子の存在または追加を排除しないことに理解されたい。
【００３３】
以下、添付図面を参照して、本発明の実施形態による自動回復回路付き制御ＩＣについて説明すれば、次のとおりである。
【００３４】
まず、本発明の第１の実施形態による自動回復回路付き制御ＩＣについて詳記する。
【００３５】
図１は、本発明の一実施形態による自動回復回路付き制御ＩＣを概略的に示すブロック図で、図２は、本発明の他の実施形態による自動回復回路付き制御ＩＣを概略的に示すブロック図で、図３は、本発明の他の実施形態による自動回復回路付き制御ＩＣを概略的に示す回路図で、図４は、本発明の他の実施形態による制御ＩＣの自動回復回路を概略的に示す回路図である。図５は、本発明の一実施形態による制御ＩＣの自動回復動作を概略的に示すグラフで、図６は、本発明の一実施形態による自動回復回路付き制御ＩＣの電源の正常動作状態を概略的に示すグラフである。
【００３６】
図１に示すように、一実施形態による自動回復回路付き制御ＩＣは、異常状態検出部１１０、プロテクション部１２０、ＩＣ電源部１３０及び自動再開部１４０を含む。
【００３７】
図１において、異常状態検出部１１０は、この実施形態による制御ＩＣを含むシステムまたは該制御ＩＣの異常状態を検出する。異常状態とは、正常状態から外れた状態を言って、例えば、過電圧（Ｏｖｅｒ-Ｖｏｌｔａｇｅ）、過電流（Ｏｖｅｒ-Ｃｕｒｒｅｎｔ）、過負荷（Ｏｖｅｒｌｏａｄ）、入力低電圧、サーマルシャットダウン（Ｔｈｅｒｍａｌ  Ｓｈｕｔｄｏｗｎ）、ブラウンアウト（Ｂｒｏｗｎ  Ｏｕｔ）などが挙げられる。図３中のＯＬＰ、ＯＶＰ、ＴＳＤ及び図４中のＯＣＰ、Ｂｒｏｗｎ  Ｏｕｔなどは各々の異常状態に対する検出モードを意味する。詳しくは、ＯＬＰは過負荷保護、ＯＶＰは過電圧保護、ＴＳＤはサーマルシャットダウン、ＯＣＰは過電流保護を表す。例えば、ＯＬＰ、ＯＣＰ、ブラウンアウトなどはシステムの異常状態を表してもよい。例えば、図３及び４に示すように、各々の異常状態の検出モード及びオア（ＯＲ）ゲートによって異常状態検出部１１０、２１０が具現される。図５には、異常状態の検出信号の例としてのＯＶＰ  ｓｉｇｎａｌが示されている。
【００３８】
一実施形態によれば、異常状態検出部１１０は過電圧、過電流、過負荷、入力低電圧、サーマルシャットダウン、ブラウンアウトのうちの少なくともいずれか一つを検出する。
【００３９】
続いて、図１のプロテクション部１２０は、異常状態検出部１１０によって異常状態が検出されると、それに応じて動作モード状態を保護モードに変更する。図５には、異常状態の検出信号であるＯＶＰ  ｓｉｇｎａｌが生成されることによって、保護信号が活性化されることが示されている。図５の保護シグナルがハイ状態の区間間、保護モードが行われる。図５に示すように、少なくとも保護モードが行われる区間間には制御ＩＣの出力がないことを分かる。また、この実施形態での保護モードでは、ＩＣ電源であるＩＣ  ＶＣＣが予め決められた高電圧であるＵＶＬＯ＿ＯＮ電圧と予め決められた低電圧であるＵＶＬＯ＿ＯＦＦ電圧との間で下降及び上昇を繰り返す。
【００４０】
例えば、図３及び図４に示すように、ＯＶＰのような異常状態信号が異常状態検出部１１０、２１０によってプロテクション部１２０、２２０に入ると、プロテクション部１２０、２２０は制御ＩＣ及びシステムを保護するために、ラッチプロテクションを用いて制御ＩＣの出力とシステムの動作とを止めるようにする。保護モードの状態になると、図５に示すように、ＩＣ  ＶＣＣがＵＶＬＯ＿ＯＮとＵＶＬＯ＿ＯＦＦとの間で上昇及び下降の動作を繰り返すようになる。それによって、ＵＶＬＯ  ｓｉｇｎａｌを感知してカウントし、ラッチプロテクションを例えば図４に示すように、リセットして制御ＩＣが正常に動作するようにする。
【００４１】
図１のプロテクション部１２０は、保護モードにて自動回復信号を入力されて動作モードに変更する。図５に示すように、例えばＵＶＬＯ  ｓｉｇｎａｌが３番目のハイに変わる瞬間、すなわち３番目のクロックエッジ立上がりの瞬間にＡｕｔｏ  Ｒｅｃｏｖｅｒｙ信号によって保護シグナルがロー状態に変わって終わることを分かる。図５に示すように、保護シグナルがロー状態に変わって動作モードになると、ＩＣ電源であるＩＣ  ＶＣＣはＵＶＬＯ  ｓｉｇｎａｌがハイ状態にあるので、システムの入力電源から電力を供給される。例えば、図５では、動作モードにあっても、制御ＩＣはまだ正常状態に至らなかったことが示されている。そのため、動作モードの再開によってすぐ制御ＩＣの出力が同時に回復されないことになる。続いて、図５に示すように、動作モードの進行に応じて、例えば、制御ＩＣが正常状態になる時点、即ち、ＩＣ電源が予め決められた高電圧であるＵＶＬＯ＿ＯＮ電圧に到達する時点に至れば、ＵＶＬＯ  ｓｉｇｎａｌがロー状態に変わって、システムの入力電源（図示せず）からの電力の供給が遮られて、代りに制御ＩＣが正常状態に到達したので、該制御ＩＣの出力が再開される。それによって、システムのトランス（図７の符号３０）の２次側補助巻線（図示せず）から電力を供給されるようになる。
【００４２】
図１のプロテクション部１２０は、入力信号によって保護モードまたは動作モードに変更するので、例えば図３及び／または図４のラッチ回路１２０、２２１を備える。この実施形態では、保護モードになると、制御ＩＣ自体は動作するが、図５に示すように、該制御ＩＣから出力信号、例えばパワトランジスタ（図示せず）に対する駆動信号が出力されないので、次のＩＣ電源部１３０からシステムのトランス（図７の符号３０）の２次側補助巻線（図示せず）から電力を供給されることができなくなる。例えば、図５に示すように、保護モードから動作モードに変更された後、一定時間経過後にＩＣ電源が予め決められた高電圧であるＵＶＬＯ＿ＯＮ電圧に到達すると、制御ＩＣが正常状態になり、ＩＣ電源部１３０がシステムの２次側補助巻線（図示せず）から電力を供給されるようになる。または、図５とは異なり、保護モードが動作モードに変更される時点にてすぐ制御ＩＣの出力が再開され、それによってＩＣ電源部１３０がシステムの２次側捕助巻線から電力を供給されることになる。例えば、図５の自動回復信号であるＡｕｔｏ  Ｒｅｃｏｖｅｒｙ信号が、図５とは異なり、ＵＶＬＯ  ｓｉｇｎａｌの立下りエッジ時点にて生成される場合には、ＩＣ電源のＩＣ  ＶＣＣが既に予め決められた高電圧であるＵＶＬＯ＿ＯＮ電圧に到達したので、制御ＩＣの出力が再開される。それによって、ＩＣ電源部１３０がシステムの２次側補助巻線（図示せず）から電力を供給されることになる。または、図５とは異なり、ＩＣ  ＶＣＣが既に予め決められた高電圧であるＵＶＬＯ＿ＯＮ電圧に到達しなかったが、保護シグナルがロー状態になり、動作モードに変わる時点にて制御ＩＣの出力が再開されてもよい。
【００４３】
例えば、一実施形態によれば、図３及び図４に示すように、プロテクション部１２０、２２０は、異常状態検出部１１０、２１０の出力と自動再開部１４０、２４０からの自動回復信号とを入力されるラッチ回路１２０、２２１を含む。図３では、異常状態検出部１１０の出力をリセット入力Ｒとして、自動再開部１４０からの自動回復信号をセット入力Ｓとして受け、出力端Ｑを介して出力するラッチ回路１２０が示されている。図４に示すように、プロテクション部２２０はラッチ回路２２１とインバータ２２３とを備える。図４のラッチ回路２２１は、異常状態検出部１１０、２１０の出力をセット入力Ｓとして、自動再開部１４０からの自動回復信号をリセット入力Ｒとして受け、出力端Ｑを介して出力した後、インバータ２２３を経て反転出力する。
【００４４】
次に、図１のＩＣ電源部１３０は、正常状態にてシステムの２次側補助巻線（図示せず）、例えばパワ変換システムのトランス（図７の符号３０）の２次側捕助巻線から電力を供給される。ここで、正常状態は動作モードと異なる。正常状態とは、保護モードではない動作モードの状態で動作する中にシステムの安定な状態を意味する。したがって、動作モード状態にある場合、正常状態であってもよく、まだ正常状態に到達する前の動作状態であってもよい。異常状態が検出されて保護モードに変わる場合、２次側捕助巻線からＩＣ電源への電力の供給を中断する。
【００４５】
例えば、ＩＣ電源部１３０は、２次側補助巻線（図示せず）に接続される端子の外部に設けられたキャパシタ（図示せず）を備える。これによって、正常状態にて、ＩＣ電源部１３０は、端子外部に設けられたキャパシタに２次側捕助巻線から供給される電力を充電し、保護モードの開始に応じて該２次側捕助巻線から電力の供給が中断された場合、該キャパシタに充電された電源をＩＣ電源として使ってもよい。ＩＣ電源のキャパシタ（ＶＣＣキャパシタ）（図示せず）の容量によって、自動復元時間を可変することができる。
【００４６】
図１のＩＣ電源部１３０は、保護モードにて、ＩＣ電源が予め決められた低電圧、例えば図５のＵＶＬＯ＿ＯＦＦ電圧まで落ちると、電力供給信号によってシステムの入力電源から電力を供給される。電力供給信号（例えば、図５中のＵＶＬＯ  ｓｉｇｎａｌのハイ信号）は、システムの入力電源からの電力を供給されるようにする制御信号である。例えば、制御ＩＣまたはシステムがＯＶＰ、ＯＣＰ、ＯＬＰ、ブラウンアウト、ＴＳＤのような異常状態になると、図５に示すように制御ＩＣの動作が止めて出力が中断される。それによって、システムのトランス（図７の符号３０）の２次側捕助巻線からの電力の供給も止めるようになる。すると、例えばＩＣ電源キャパシタ（ＶＣＣキャパシタ）（図示せず）からの制御ＩＣへの電圧（図５のＩＣ  ＶＣＣ）が減少するようになる。この時、制御ＩＣの電圧（図５のＩＣ  ＶＣＣ）が一定電圧である予め決められた低電圧（ＵＶＬＯ＿ＯＦＦ）まで下がると、システムの入力電源からの電力の供給が開始される。
【００４７】
続いて、保護モードにて、ＩＣ電源部１３０はシステムの入力電源からの電力の供給後に再度ＩＣ電源が予め決められた高電圧、例えば図５のＵＶＬＯ＿ＯＮ電圧に到達する場合、電力供給遮断信号によって入力電源（図示せず）からの電力の供給を遮断または中断する。電力供給遮断信号（例えば、図５でＵＶＬＯ  ｓｉｇｎａｌのロー信号）は、システムの入力電源からの電力の供給によってＩＣ電源が予め決められた高電圧、例えば図５のＵＶＬＯ＿ＯＮ電圧に到達する場合、システムの入力電源からの電力の供給を遮断するような制御信号である。図５において、システムの入力電源からの電力の供給が再開されれば、制御ＩＣの供給電圧（図５のＩＣ  ＶＣＣ）がＵＶＬＯ＿ＯＮに到達し、システムの入力電源からの電力の供給が中断になるが、該制御ＩＣは保護状態であるため、システムの２次側捕助巻線からの電力の供給は行われない。そのため、制御ＩＣの供給電圧は減少するようになり、図５のようなＩＣ  ＶＣＣの上昇及び下降の動作が繰り返される。
【００４８】
図３を参照して、保護モードの開始に応じて、図３のＶＣＣ端を通じて接続されたシステムの２次側補助巻線（図示せず）には出力がないので、例えばＶＣＣ端の外部に２次側捕助巻線と並列接続されたキャパシタ（図示せず）に充電されたＩＣ電源の電圧が徐々に落ちてＵＶＬＯ比較器に入力される。ＵＶＬＯ比較器でＩＣ電源の電圧が予め決められた低電圧であるＵＶＬＯ＿ＯＦＦ電圧（図３では８Ｖ）まで落ちると、スイッチＳ１が再度導通され、スイッチＳ１の駆動によってＳＴＲ端を通じてシステムの入力電源から電力を供給されるようになる。ＳＴＲ端を通じるシステムの入力電源から供給されたＳＴＡＲＴＵＰ電流源がＵＶＬＯ比較器で予め決められた高電圧であるＵＶＬＯ＿ＯＮ電圧（図３では１２Ｖ）に到達すると、５ＶのＶＲＥＦが図３のソフトスタート回路を駆動させ、該ソフトスタート回路から出力されるＳＳ＿Ｅｎｄ信号がＴ＿Ｄｅｌａｙを経てスイッチＳ１がオープンされ、ＳＴＲ端を通じるシステムの入力電源からの電力の供給が遮られる。
【００４９】
図５に示すように、図１のＩＣ電源部１３０は、電力供給信号及び電力供給遮断信号の繰返し、例えば図５のＵＶＬＯ  ｓｉｇｎａｌのハイ及びロー信号の繰返しによって、シスデムの入力電源（図示せず）からの電力の供給及び遮断を繰り返す。システムの入力電源からの電力の供給及び遮断の繰返し回数は設定によって決まる。設定された回数分、電力供給及び電力遮断が繰り返されれば、自動再開部１４０で自動回復信号をプロテクション部１２０に供給する。図５に示すように、ＵＶＬＯ  ｓｉｇｎａｌのハイクロックが３番目に生成される時点にて、自動回復信号であるＡｕｔｏ  Ｒｅｃｏｖｅｒｙシグナルが生成され、保護シグナルがローに変わって、保護モードが終わる。
【００５０】
一実施形態によれば、従来と異なり、別途の予備電源が必要なしに動作することができる。図６を参照して、図１のＩＣ電源部１３０は、初期に本発明の制御ＩＣを含むシステムの入力電源（図示せず）から電力を供給されている途中、制御ＩＣの供給電圧が一定電圧である予め決められた高電圧（ＵＶＬＯ＿ＯＮ）に到達すると、システムの入力電源からの電力の供給を遮断または中断し、システムの２次側補助巻線（図示せず）から電力を供給される。詳しく、ＩＣ電源部１３０は、初期に予め決められた高電圧、例えば図６に示されたＵＶＬＯ＿ＯＮ電圧に到達するまで、本発明の制御ＩＣを含むシステムの入力電源、例えばＳＭＰＳでの入力電源またはＳＭＰＳでのトランス（図７の符号３０）の１次側の入力電源などの入力電源を入力される。図３に示すように、初期にＳＴＲ端子を通じて、例えばＳＭＰＳでの入力電源またはＳＭＰＳでのトランス（図７の符号３０）の１次側の入力電源などの入力電源を受け、ＳＴＡＲＴＵＰ電流源としてスイッチＳ１を経てＢＩＡＳに供給される。図３に示すように、ＳＴＡＲＴＵＰ電流源がＵＶＬＯ比較器に入力され、ＵＶＬＯ＿ＯＮ電圧（図３で１２Ｖ）に到達する前までＢＩＡＳに供給できるが、ＵＶＬＯ＿ＯＮ電圧（図３で１２Ｖ）に到達する時に正常的なシステムが動作し、一定時間遅延された（図３で、ＳＳ＿Ｅｎｄ及びＴ＿Ｄｅｌａｙで構成される）後、スイッチＳ１が開放されＳＴＡＲＴＵＰ電流源を遮断するようになる。これから、図３のＶＣＣ端を通じてシステムのトランス（図７の符号３０）の２次側捕助巻線から電力を供給される。
【００５１】
一実施形態によれば、予め決められた高電圧であるＵＶＬＯ＿ＯＮ電圧は、制御ＩＣが正常状態に到達する電圧であってもよい。すなわち、ＩＣ電源部１３０は、初期動作モード状態から正常状態になると、システムからの入力電力の供給が遮られ、システムのトランス（図７の符号３０）の２次側捕助巻線から電力を供給される。
【００５２】
図５に示すように、一実施形態によれば、ＩＣ電源部１３０は、保護モードから動作モードに変更された場合、ＩＣ電源が予め決められた高電圧、例えば図５のＵＶＬＯ＿ＯＮ電圧に到達すると、入力電源（図示せず）からの電力の供給を遮断し、システムの２次側補助巻線（図示せず）からの電力の供給を再開する。図５において、保護モードが動作モードに変更されれば、ＵＶＬＯ  ｓｉｇｎａｌがハイ状態のうちにシステムの入力電源から電力を供給され、ＩＣ電源であるＩＣ  ＶＣＣが予め決められた高電圧であるＵＶＬＯ＿ＯＮ電圧に到達すると、前記入力電源からの電力の供給は遮られるが、ＵＶＬＯ＿ＯＮ電圧に到達することによって制御ＩＣが正常状態になり、制御ＩＣの出力が再開される。それによって、ＩＣ電源部１３０はシステムのトランス（図７の符号３０）の２次側補助巻線（図示せず）から電力を供給されるようになる。また、図５とは異なり、保護モードが動作モードに変更される時点にてすぐ制御ＩＣの出力が再開され、それによってＩＣ電源部１３０がシステムの２次側捕助巻線から電力を供給されてもよい。
【００５３】
次に、図１の自動再開部１４０は、保護モードの開始に応じて、前記ＩＣ電源部１３０の電力供給信号及び電力供給遮断信号が交互に繰り返されるクロックをカウントする。また、図１の自動再開部１４０は、カウント数が予め決められた値に到達すると、前記プロテクション部１２０に自動回復信号を供給する。図５に示すように、ＵＶＬＯ  ｓｉｇｎａｌのハイクロックが３番目に生成される時点にて自動回復信号であるＡｕｔｏ  Ｒｅｃｏｖｅｒｙシグナルが生成され、保護シグナルがローに変わって保護モードが終わる。図５において、ＵＶＬＯ  ｓｉｇｎａｌのハイ信号はシステムの入力電源（図示せず）からの電力を再供給されるようにする電力供給信号である。ＵＶＬＯ  ｓｉｇｎａｌのロー信号は、システムの入力電源からの電力の供給を遮断するような電力供給遮断信号である。一実施形態によれば、ＩＣ電源部１３０においてシステムの入力電源からの電力の再供給及び再遮断の繰返し回数は、設定によって決まってもよい。
【００５４】
また、図４を参照して、一例を挙げる。図４は、本発明の第２の実施形態による制御ＩＣの自動回復回路を示す。図４の構成は、本発明の第１の実施形態による自動回復回路付き制御ＩＣの構成にも同様に適用されてもよい。
【００５５】
図４に示すように、自動再開部２４０は、カウンタ２４１及び論理積（ＡＮＤ）ゲート２４３を含む。カウンタ２４１は、ＩＣ電源部１３０からの電力供給信号及び電力供給遮断信号のクロックをカウントする。クロックカウントは、立上がりエッジまたは立下がりエッジをカウントする方法によって行われてもよい。例えば、カウンタ２４１はシステムの入力電源（図示せず）からの電力を再供給されるような電力供給信号である、ＵＶＬＯ  ｓｉｇｎａｌのハイクロックのみをカウントする。図４の論理積ゲート２４３は、カウンタ２４１の出力信号とクロック信号とに対する論理積演算を行う。例えば、図５に示すように、ＩＣ電源部１３０での電力供給信号であるＵＶＬＯ  ｓｉｇｎａｌのハイクロックが３番目にカウントされる時点にて自動回復信号が出力される。図４に示すように、カウンタ２４１は複数のフリップフロップを接続して構成される。例えば、図４に示すように、１番目のフリップフロップでＵＶＬＯ信号をクロックにし、１番目のフリップフロップの出力Ｑを２番目のフリップフロップのクロックにし、ＲＥＳＥＴ信号を二つのフリップフロップでＴ入力端の入力信号として決めてもよい。例えば、図５のＵＶＬＯ  ｓｉｇｎａｌのハイクロックによって入力されるシステムの入力電源の入力を図４のＲＥＳＥＴ信号にすることができる。図４は、カウンタ２４１を例示的に示すもので、図４に示されていない多様な方法でカウンタ２４１を構成してもよい。
【００５６】
また、本発明の一実施形態によれば、制御ＩＣはパワ変換システムのパワトランジスタスイッチ（図７の符号２０）を駆動するＰＷＭ制御チップである。例えば、パワ変換システムはＳＭＰＳに適用されるパワコンパータであってもよい。図２及び図３を参照して、これについて詳記する。
【００５７】
図２及び／または図３に示すように、一実施形態によれば、制御ＩＣはＰＷＭ生成部１５０及び駆動部１６０をさらに含む。ＰＷＭ生成部１５０は、システムの２次側出力のフィードバックを受けてＰＷＭ制御信号を生成する。例えば、ＰＷＭ生成部１５０は、システムのトランス（図７の符号３０）の２次側出力のフィードバックを受けてシステムの１次側入力と比較することによって、所望の２次側出力を得るようにＰＷＭデューティ比を調節し、パワトランジスタ（図示せず）を駆動させるためのＰＷＭ制御信号を生成する。
【００５８】
図３を参照して、これについて詳記する。一実施形態によれば、ＰＷＭ生成部１５０はＰＷＭ比較器及び排他的論理和（ＮＯＲ）ゲートを含む。図３に示すように、ＰＷＭ比較器は、システムの２次側出力のフィードバックを受けたフィードバック信号、予め決められた状態によって決まった内部電圧信号及びシステムのインダクタ電流の検出信号を用いて、ＰＷＭ制御信号のデューティを決める。図３に示すように、制御ＩＣの正常状態では、ＰＷＭ比較器はシステムの２次側出力のフィードバックを受けたフィードバック信号とシステムの１次側入力、例えばインダクタ電流をモニタした検出信号とを比較して、所望の２次側出力を得るためのデューティを決める。図３では、２次側出力のフィードバック信号は、ＦＢ端子を通じて入力され、ＰＷＭ比較器のネガ端に入力され、インダクタ電流をモニタして検出された信号はＣＳ端を経てＰＷＭ比較器のポジ端に入力される。これによって、ＰＷＭ比較器で比較して所望の２次側出力を得るためのデューティを決める。また、図３に示すように、制御ＩＣが正常状態ではない状態にて、システムの２次側出力からのフィードバック信号ではない予め決められた状態によって決まった内部電圧信号と、システムの１次側入力、例えばインダクタ電流をモニタした検出信号とを比較して、所望の２次側出力を得るためのデューティを決める。例えば、図３において、バースト制御ブロック１５７でバースト（burst）活性信号であるｂｕ＿ｅｎ信号をトランジスタＱ１に印加し、２次側出力のフィードバック信号をグランドへと送り、バーストピック信号であるｂｕ＿ｐｋ＿ｂ信号をスイッチＳ２に印加し、予め決められた状態によって決まった内部電圧信号である５Ｖ値をＰＷＭ比較器のネガ端へ入力させ、インダクタ電流をモニタして検出された信号をＣＳ端を経てＰＷＭ比較器のポジ端へ入力させ、これらを比較することによって、所望の２次側出力を得るためのデューティを決める。図３において、ＰＷＭ比較器の出力はオシレータ信号とともにラッチ回路に入出力されてデューティが決まる。図３で、ＰＷＭ比較器及びラッチ回路を経てデューティが決まる信号は、排他的論理和ゲートに入力される。
【００５９】
また、図３の排他的論理和（ＮＯＲ）ゲートは、ＰＷＭ比較器の出力とプロテクション部１２０の出力とを入力され、ＰＷＭ制御信号を出力する。例えば、図３には、ＰＷＭ比較器及びラッチ回路を経て、デューティが決まる信号、プロテクション部１２０の保護モードまたは動作モードによる信号及びオシレーター信号を入力される排他的論理和ゲートが示されている。この実施形態では、図３の例示と異なり、他の方式でＰＷＭ比較器の出力とプロテクション部１２０の出力とは排他的論理和ゲートに入力され、ＰＷＭ制御信号が出力される。
【００６０】
続いて、図２及び／または図３において、駆動部１６０はＰＷＭ生成部１５０で生成された制御信号によってパワトランジスタスイッチ（図７の符号２０）を駆動させる。
【００６１】
次に、添付図面を参照して、本発明の第２の実施形態による制御ＩＣの自動回復回路について詳記する。本発明の第２の実施形態の説明において、図４及び図５に加えて、前述の第１の実施形態による自動回復回路付き制御ＩＣの例及び図１〜図３を参照し、重複する説明は省略することにする。
【００６２】
図４は、本発明の他の実施形態による制御ＩＣの自動回復回路を概略的に示す回路図で、図５は、本発明の一実施形態による制御ＩＣの自動回復動作を概略的に示すグラフである。
【００６３】
図４に示すように、本発明の第２の実施形態において、制御ＩＣの自動回復回路は、システムまたは制御ＩＣの異常状態の発生による保護モードから動作モードに自動に回復する自動回復回路であって、異常状態検出部１１０、プロテクション部１２０及び自動再開部１４０を含む。例えば、自動回復回路付き制御ＩＣは、パワコンパータのパワトランジスタスイッチを駆動するＰＷＭ制御チップである。
【００６４】
まず、図４の異常状態検出部１１０は、システムまたは制御ＩＣの異常状態を検出する。例えば、図４に示すように、異常状態検出部１１０はＯＶＰ検出モード、ＯＣＰ検出モード、ＯＬＰ検出モード、ブラウンアウト検出モード、ＴＳＤ検出モードのうちのいずれか一つにて、異常状態の有無を検出する。一実施形態によれば、異常状態検出部１１０は、過電圧、過電流、過負荷、サーマルシャットダウン、ブラウンアウトのうちの少なくともいずれか一つを検出する。異常状態検出部１１０に対する詳細は、前述の第１の実施形態と図１、図３及び図５を参照して示す。
【００６５】
続いて、図４のプロテクション部１２０は、異常状態検出部１１０で異常状態が検出されると、動作モードから保護モードに変更する。図５には、異常状態の検出信号であるＯＶＰ  ｓｉｇｎａｌが生成されることによって、保護信号が活性化されることが示されている。また、プロテクション部１２０は保護モードにて自動再開部１４０から自動回復信号を入力されて動作モードに変更する。
【００６６】
また、一実施形態によれば、図３及び図４に示すように、プロテクション部１２０、２２０は、異常状態検出部１１０、２１０の出力と自動回復信号とを入力にするラッチ回路１２０、２２１を含む。図４では、プロテクション部２２０はラッチ回路２２１とインバータ２２３とを含むことに対して、図３ではラッチ回路１２０のみを含む。
【００６７】
図４のプロテクション部１２０に対する詳細は、前述の第１の実施形態と図１及び図５を参照して示す。
【００６８】
続いて、図４の自動再開部１４０について詳記する。図４の自動再開部１４０は、システムの２次側補助巻線（図示せず）からＩＣ電源への電力の供給が中断された保護モードにて、電力供給信号と電力供給遮断信号とが交互に繰り返されるクロックをカウントする。クロックカウントは、立上がりエッジまたは立下りエッジをカウントする方法によって行われる。電力供給信号、例えば、図５で、ＵＶＬＯ  ｓｉｇｎａｌのハイ信号はＩＣ電源が予め決められた低電圧まで落ちると、システムの入力電源（図示せず）から電力を供給されるような制御信号である。電力供給遮断信号、例えば、図５で、ＵＶＬＯ  ｓｉｇｎａｌのロー信号は、システムの入力電源からの電力の供給後に該ＩＣ電源が予め決められた高電圧に到達すると、該入力電源からの電力の供給を遮断するような制御信号である。図５に示すように、保護モードにはＩＣ電源であるＩＣ  ＶＣＣが予め決められた高電圧であるＵＶＬＯ＿ＯＮ電圧と予め決められた低電圧であるＵＶＬＯ＿ＯＦＦ電圧との間で下降と上昇を繰り返す。自動再開部１４０は、ＩＣ電源であるＩＣ  ＶＣＣの下降及び上昇の繰返し回数をカウントする。
【００６９】
また、図４の自動再開部１４０は、カウント数が予め決められた値に到達すると、プロテクション部１２０に自動回復信号を供給する。図５に示すように、システムの入力電源からの電力を再供給されるような電力供給信号であるＵＶＬＯ  ｓｉｇｎａｌのハイクロックが３番目に生成される時点にて、自動回復信号であるＡｕｔｏ  Ｒｅｃｏｖｅｒｙシグナルが生成され、保護シグナルがローに変わって、保護モードが終わる。
【００７０】
保護モードによって、システムの２次側補助巻線（図示せず）からＩＣ電源への電力の供給が中断されると、例えば、ＩＣ電源キャパシタ（ＶＣＣキャパシタ）（図示せず）に充電された電源をＩＣ電源の供給電源（図５のＩＣ  ＶＣＣ）として使う。ＩＣ電源の供給電源（図５のＩＣ  ＶＣＣ）は徐々に減少し、該ＩＣ  ＶＣＣが予め決められた低電圧であるＵＶＬＯ＿ＯＦＦ電圧まで落ちると、システムの入力電源からの電力の供給を再開する。それによって、ＩＣ電源が予め決められた高電圧であるＵＶＬＯ＿ＯＮ電圧に到達すると、システムの入力電源からの電力の供給を遮断する動作を再度繰り返す。ＩＣ  ＶＣＣの下降及び上昇の繰返し回数をカウントし、該カウント数が予め決められた回数に到達すると、自動回復信号を生成する。カウント回数に加えて、ＩＣ電源キャパシタ（ＶＣＣキャパシタ）の容量によって、自動復元時間を可変する。
【００７１】
図４に示すように、一実施形態によれば、自動再開部１４０は、カウンタ２４１及び論理積（ＡＮＤ）ゲート２４３を含む。カウンタ２４１は、システムの入力電源（図示せず）からの電力再供給に関する電力供給信号と、システムの入力電源からの電力供給遮断に関する電力供給遮断信号とのクロックをカウントする。カウンタ２４１は、システムの入力電源からの電力を再供給されるような電力供給信号であるＵＶＬＯ  ｓｉｇｎａｌのハイクロックのみをカウントする。図４の論理積ゲート２４３は、カウンタ２４１の出力信号とクロック信号に対して論理積演算を行う。図４に示すように、カウンタ２４１は、複数のフリップフロップを接続して具現されるが、これに限定するものではない。
【００７２】
図４の自動再開部１４０に対する詳細は、前述の第１の実施形態、図１及び図５を参照して示す。
【００７３】
次に、添付図面を参照して、本発明の第３の実施形態によるパワ変換システムについて詳記する。第３の実施形態に対しては、図１〜図４、図６及び図７、前述の第１及び第２の実施形態を参照し、その他の重複する説明は省略することにする。
【００７４】
図７は、本発明のさらに他の実施形態によるパワ変換システムを概略的に示すブロック図である。
【００７５】
図７に示すように、本発明の第３の実施形態によるパワ変換システムは、パワトランジスタスイッチ２０、トランス３０、制御ＩＣ１０及びフィードバック回路４０を含む。例えば、パワ変換システムは共振型ＤＣ−ＤＣコンパータが挙げられるが、これに限定するものではない。
【００７６】
図７のパワトランジスタスイッチ２０は、制御ＩＣ１０の制御に基づいてオン／オフ駆動し、システムの入力電源をトランス３０の１次側へ伝達する。パワトラジスタスイッチ１０は、ＮＭＯＳトランジスタが挙げられる。
【００７７】
次に、図７に示すように、トランス３０は、パワトランジスタスイッチ２０の駆動によってシステムの入力電源を１次側電源として入力され、変換させて、２次側を通じて直流電源として出力する。
【００７８】
図７の制御ＩＣ１０は、パワトランジスタスイッチ２０の駆動をＰＷＭ制御する。制御ＩＣ１０は、前述の実施形態のうちのいずれか一つによる制御ＩＣであってもよい。
【００７９】
次に、図７のフィードバック回路４０は、トランス３０の２次側出力をフィードバックして制御ＩＣ１０に供給する。
【００８０】
図２及び図７に示すように、一実施形態によれば、制御ＩＣ１０は、フィードバック回路４０から２次側出力のフィードバックを受けてＰＷＭ制御信号を生成するＰＷＭ生成部１５０と、このＰＷＭ生成部１５０で生成された制御信号によってパワトランジスタスイッチ２０を駆動する駆動部１６０とを含む。
【００８１】
次に、添付図面を参照して、本発明の第４の実施形態による制御ＩＣの自動回復方法について詳記する。この第４の実施形態に対しては、図１〜図６、図８ａ、図８ｂ及び図９、前述の第１及び第２の実施形態を参照し、その他の重複する説明は省略することにする。
【００８２】
図５は、本発明の一実施形態による制御ＩＣの自動回復動作を概略的に示すグラフで、図８ａ及び図８ｂは各々、本発明の他の一実施形態による制御ＩＣの自動回復方法を概略的に示す流れ図で、図９は、本発明のさらに他の実施形態による制御ＩＣの自動回復方法を概略的に示す流れ図である。
【００８３】
図８ａ、図８ｂ及び図９を参照して、本発明の第３の実施形態による制御ＩＣの自動回復方法について詳記する。まず、図８ａ及び図８ｂに示すように、一実施形態による制御ＩＣの自動回復方法は、異常状態の検出及び保護モードの変更ステップ（Ｓ１００）、システムの入力電源からの電力の供給及び遮断を繰返すステップ（Ｓ２００）、自動回復信号生成ステップ（Ｓ３００）及び動作モードへの変更ステップ（Ｓ４００）を含む。
【００８４】
図９に示すように、一実施形態によれば、制御ＩＣの自動回復方法は、異常状態の検出ステップ（Ｓ１１００）前に、システムの２次側捕助巻線から電力を供給するステップ（Ｓ１０００）をさらに含んでもよい。
【００８５】
前記制御ＩＣは、パワコンパータのパワトランジスタスイッチを駆動するＰＷＭ制御チップであってもよい。
【００８６】
まず、図８ａ及び図８ｂに示す異常状態の検出及び保護モード変更ステップ（Ｓ１００）では、システムまたは制御ＩＣの異常状態の検出に応じて保護モードに変更される。保護モードへの変更によって、制御ＩＣの出力が中断されることによって、システムの２次側捕助巻線からＩＣ電源への電力の供給を中断する。
【００８７】
また、一実施形態によれば、異常状態の検出及び保護モード変更ステップ（Ｓ１００）では、過電圧、過電流、過負荷、サーマルシャットダウン、ブラウンアウトのうちの少なくともいずれか一つを検出する。
【００８８】
続いて、図８ａ及び図８ｂを参照して、システムの入力電源からの電力の供給及び電力遮断の繰返しステップ（Ｓ２００）について詳記する。このステップ（Ｓ２００）では、まず、保護モードの開始に応じて、ＩＣ電源が予め決められた低電圧まで落ちると、電力供給信号に応じてシステムの入力電源から電力を供給される（Ｓ２１０）。また、システムの入力電源からの電力の供給によって、ＩＣ電源が予め決められた高電圧に到達すると、電力供給遮断信号に応じて入力電源からの電力の供給を遮断する（Ｓ２３０）。このステップ（Ｓ２００）では、このようなシステムの入力電源からの電力の供給及び遮断が繰返して行われる。
【００８９】
図５に示すように、保護モードの開始に応じて捕助巻線からの電力の供給が中断された場合、ＩＣ電源が予め決められた低電圧、例えば図５のＵＶＬＯ＿ＯＦＦ電圧まで落ちた場合、システムの入力電源からの電力を再供給されるような電力供給信号（例えば、図５ではＵＶＬＯ  ｓｉｇｎａｌのハイ信号）に応じて、ＩＣ電源はシステムの入力電源からの電力を再供給される（Ｓ２１０）。また、システムの入力電源からの電力の供給によって、ＩＣ電源が予め決められた高電圧、例えば図５のＵＶＬＯ＿ＯＮ電圧に到達する場合、システムの入力電源からの電力の供給を遮断するような電力供給遮断信号（例えば、図５でＵＶＬＯ  ｓｉｇｎａｌのロー信号）に応じて、システムの入力電源からＩＣ電源への電力の供給は再び遮断または中断される（Ｓ２３０）。保護モードでは、図５のＵＶＬＯ  ｓｉｇｎａｌのハイ及びロー信号の繰返しによって、システムの入力電源からの電力再供給及び再遮断が繰り返される。システムの入力電源からの電力再供給及び再遮断の繰返し回数は、自動回復信号の生成のためにカウントされる（Ｓ３１０）。一実施形態によれば、その繰返し回数は設定によって決まる。
【００９０】
次に、図８ａ及び図８ｂを参照して、自動回復信号生成ステップ（Ｓ３００）について詳記する。この実施形態による自動回復信号生成ステップ（Ｓ３００）では、システムの入力電源からの電力供給に関する電力供給信号と、システムの入力電源からの電力供給の遮断に関する電力供給遮断信号とが交互に繰り返されるクロックをカウントする（Ｓ３１０)。図５に示すように、ＩＣ電源であるＩＣ  ＶＣＣの予め決められた高電圧であるＵＶＬＯ＿ＯＮ電圧と予め決められた低電圧であるＵＶＬＯ＿ＯＦＦ電圧との間で立上がり及び立下がりがカウントされる。クロックカウントは立上がりエッジまたは立下がりエッジをカウントする方法によって行われてもよい。例えば、図５に示すように、システムの入力電源からの電力を再供給されるような電力供給信号であるＵＶＬＯ  ｓｉｇｎａｌのハイクロックのみをカウントしてもよい（Ｓ３１０)。図８ａには、電力供給遮断信号、例えばクロックの立下がりエッジをカウントする方式が示され、図８ｂには、電力供給信号、例えばクロックの立上がりエッジをカウントする方式が示されている。また、図９は、図８ａによるカウント方式を示しているが、図８ｂの方式が適用されてもよい。
【００９１】
また、ステップＳ３００では、カウント数が予め決められた値に到達すると、自動回復信号を生成する（Ｓ３３０)。図５に示すように、システムの入力電源からの電力を再供給されるような電力供給信号であるＵＶＬＯ  ｓｉｇｎａｌのハイクロックが３番目に生成される時点にて、自動回復信号であるＡｕｔｏ  Ｒｅｃｏｖｅｙシグナルが生成される。
【００９２】
図８ａ及び図８ｂに示すように、動作モードへの変更ステップＳ４００では、前述の自動回復信号生成ステップＳ３００で生成された自動回復信号に応じて、保護モードを動作モードに変更する。図５に示すように、ＵＶＬＯ  ｓｉｇｎａｌのハイクロックが３番目に生成される時点にて、自動回復信号であるＡｕｔｏ  Ｒｅｃｏｖｅｙシグナルが生成される。それによって、保護シグナルがローに変わって、保護モードが終わって、動作モードに入る。
【００９３】
また、一実施形態によれば、動作モードに変更されるステップＳ４００では、ＩＣ電源が予め決められた高電圧に到達すると、システムの入力電源からの電力の供給を遮断し、システムの２次側捕助巻線からの電力の供給を再開する。例えば、制御ＩＣの正常状態でシステムの入力電源ではないシステムのトランス(図７の符号３０)の２次側捕助巻線から電力を供給されるために、図５に示すように、ＩＣ  ＶＣＣの予め決められた高電圧であるＵＶＬＯ＿ＯＮ電圧に到達すると、システムの入力電源からの電力の供給を遮断し、システムの２次側捕助巻線からの電力の供給を再開する。
【００９４】
次に、図９を参照して、本発明の一実施形態による制御ＩＣの自動回復方法について詳記する。図９に示すように、一実施形態による制御ＩＣの自動回復方法は、異常状態の検出ステップＳ１１００前に、システムの２次側捕助巻線からの電力供給ステップＳ１０００をさらに含む。すなわち、保護モードの開始前に、初期にシステムの入力電源から電力を供給されている途中、予め決められた高電圧に到達すると、該入力電源からの電力の供給を遮断し、システムの２次側捕助巻線から電力を供給される（Ｓ１０００）。
【００９５】
今回開示された実施の形態はすべての点で例示であって制限的なものではないと考えられるべきである。本発明の範囲は、前記した実施の形態の説明ではなくて特許請求の範囲によって示され、特許請求の範囲と均等の意味及び範囲内でのすべての変更が含まれることが意図される。
【符号の説明】
【００９６】
１０  制御ＩＣ
２０  パワトランジスタスイッチ
３０  トランス
４０  フィードバック回路
１１０、２１０  異常状態検出部
１２０、２２０  プロテクション部
１３０  ＩＣ電源部
１４０、２４０  自動再開部
１５０  ＰＷＭ生成部
１６０  駆動部
２２１  ラッチ回路
２２３  インバータ
２４１  カウンタ
２４３  論理積ゲート
【図１】
2013106350.tif 000003
【図２】
2013106350.tif 000004
【図３】
2013106350.tif 000005
【図４】
2013106350.tif 000006
【図５】
2013106350.tif 000007
【図６】
2013106350.tif 000008
【図７】
2013106350.tif 000009
【図８ａ】
2013106350.tif 000010
【図８ｂ】
2013106350.tif 000011
【図９】
2013106350.tif 000012